(57)【要約】【課題】熱交換器の氷結による目詰まりの防止、またはコールドドラフト感を軽減できる熱交換形換気装置を提供することを目的とする。【解決手段】室外１とダクトを介して連通して排気流および給気流の経路を形成するために側面に接続される排気用接続部４および給気用接続部５を備え、下面に室内空気を吸込む排気口１０と外気を室内に取り込むための給気口１１を有した本体６と、本体６の内部に排気用ファン１２および給気用ファン１３を駆動させる電動機１４と、室内空気と外気との間で熱交換する熱交換器１９と、給気用接続部５から給気口１１に至る給気経路１８において給気の流れを遮る遮断ダンパー２０とを備え、外気の温度を検知する給気温度検知手段２１からの信号に基づいて前記遮断ダンパーを作動させて給気の流れを寸断するとともに排気風量を減少させる構成とする。【選択図】図２
2005233494.tif 000002
【特許請求の範囲】
【請求項１】
室外とダクトを介して連通して排気流および給気流の経路を形成するために側面に接続される排気用接続部および給気用接続部を備え、下面開放口に室内の汚染された空気を吸込む排気口と室外の新鮮な外気を室内に取り込むための給気口を有した箱状の本体と、前記本体の内部に排気用ファンおよび給気用ファンの双方を駆動させる電動機と、前記排気口から吸込まれる室内空気と室外から取り入れられた新鮮な外気との間で排熱を回収するように設けられた熱交換器と、前記給気用接続部から前記給気口に至る給気経路において給気の流れを遮る遮断ダンパーと、取り込まれた前記外気の温度を検知する給気温度検知手段とを備え、前記給気温度検知手段からの信号に基づいて前記遮断ダンパーを作動させて給気の流れを寸断させるとともに、前記排気用ファンによる排気風量を減少させることを特徴とした熱交換形換気装置。
【請求項２】
室外から取り込まれた外気の温度を検知する給気温度検知手段の検知温度を任意に設定または変更することができる検知温度設定手段を備えることを特徴とする請求項１記載の熱交換形換気装置。
【請求項３】
前記遮断ダンパーの閉鎖時間を任意に設定することができるタイマーを備えたことを特徴とする請求項１または２に記載の熱交換形換気装置。
【請求項４】
前記排気用接続部から排気口に至る排気経路の一部と給気経路の一部を連通可能とする開閉弁を本体内に備えたことを特徴とする請求項１、２、または３に記載の熱交換形換気装置。
【請求項５】
前記給気用接続部から吸入された給気に、熱交換器を通過する直前に予熱を加える加熱手段を備えたことを特徴とする請求項１から４のいずれかに記載の熱交換形換気装置。
【請求項６】
本体内の前記給気経路に設置される給気温度検知手段を着脱可能とし、任意の給気経路に取り付け可能としたことを特徴とする請求項１から５のいずれかに記載の熱交換形換気装置。
【請求項７】
前記排気用ファンならびに給気用ファンを直流モータにより駆動させることを特徴とする請求項１から６のいずれかに記載の熱交換形換気装置。
【請求項８】
前記排気用ファンの回転数を検出する回転数検知手段と、この回転数の信号に基づいて前記排気用ファンの回転数を制御する回転数制御手段を備えたことを特徴とする請求項１から７のいずれかに記載の熱交換形換気装置。
【請求項９】
前記排気経路内の静圧を検知する静圧検知手段と、この静圧検知手段の信号により排気用ファンの回転数を制御する回転数制御手段を備えたことを特徴とする請求項１から７のいずれかに記載の熱交換形換気装置。
【請求項１０】
排気風量を検知する風量検知手段と、この風量検知手段の信号により排気用ファンの回転数を制御する回転数制御手段を備えたことを特徴とする請求項１から７のいずれかに記載の熱交換形換気装置。
【発明の詳細な説明】
【技術分野】
【０００１】
本発明は、排熱回収用の熱交換器が搭載されて低温の外気を取り入れる環境にて使用される熱交換形換気装置に関するものである。
【背景技術】
【０００２】
従来、この種の熱交換形換気装置は、冬季など例えば外気温が氷点下１０度以下のように冷却された屋外の空気を熱交換器にて熱交換すると、相対する排気の空気に含まれる水分が熱交換器の排気通風中にて凍結して目詰まりを起こし、その目詰まりにより排気風量が大きく減少することが確認されている。また、排気風量が減少することにより、給気される室外空気に十分な熱エネルギーを供与することができなくなり、給気される室外空気が十分室内温度近傍まで高められなくなるため、吐出される給気を居住者が冷たく感じることを防止したものが知られている（例えば、実用新案文献１参照）。
【０００３】
以下、その熱交換形換気装置について図８を参照しながら説明する。
【０００４】
図に示すように、箱状の外かく１０１は前面に室内１０２と連通する室内側吸込口１０３および室内側吐出口１０４と、背面に室外１０５と連通する室外側吸込口１０６および室外側吐出口１０７とを有し、内部に室内側吸込口１０３と室外側吐出口１０７を結び排気用羽根１０８を両シャフトの一方に固着した電動機１０９を設けた排気通風路Ａ→Ａ‘と、室外側吸込口１０６と室内側吐出口１０４を結び電動機１０９の他方のシャフトに固着した給気用羽根１１０を配設した給気通風路Ｂ→Ｂ’と形成している。排気通風路Ａ→Ａ‘と給気通風路Ｂ→Ｂ’は仕切り板１１１により一部は交差し他の部分は互いに区画されており、交差する部分に熱交換器１１２を配設している。また、０℃付近に動作点を有しているダンパー１１３には軸１１４とヒンジ１１５が設けられており、軸１１４とヒンジ１１５を中心に回動屈折展伸し、熱交換器１１２の給気通風路を開放あるいは一部閉鎖をする構成としていた。
【特許文献１】実開平２−１０３６４０号公報
【発明の開示】
【発明が解決しようとする課題】
【０００５】
このような従来の熱交換形換気装置では、ダンパーの回動屈折展伸運動により、熱交換器の給気通風路を一部しか閉鎖することができないため、極めて低温の外気を給気した状況においては、その一部の閉鎖された箇所を避けて、熱交換器に給気が流入されるため熱交換器の氷結による目詰まりを完全に防止することができず、また、排気から熱交換器により排熱回収が十分に行われないため、熱供与された給気においても氷点下の給気が室内に流れ込むこともあるため、居住者への冷風感の供与を完全に除くことができないという課題があった。
【０００６】
本発明は、このような従来の課題を解決するものであり、熱交換器の氷結による目詰まりの防止、またはコールドドラフト感を軽減できる熱交換形換気装置を提供することを目的としている。
【課題を解決するための手段】
【０００７】
本発明の熱交換形換気装置は上記目的を達成するために、室外とダクトを介して連通して排気流および給気流の経路を形成するために側面に接続される排気用接続部および給気用接続部を備え、下面開放口に室内の汚染された空気を吸込む排気口と室外の新鮮な外気を室内に取り込むための給気口を有した箱状の本体と、前記本体の内部に排気用ファンおよび給気用ファンの双方を駆動させる電動機と、前記排気口から吸込まれる室内空気と室外から取り入れられた新鮮な外気との間で排熱を回収するように設けられた熱交換器と、前記給気用接続部から前記給気口に至る給気経路において給気の流れを遮る遮断ダンパーと、取り込まれた前記外気の温度を検知する給気温度検知手段とを備え、前記給気温度検知手段からの信号に基づいて前記遮断ダンパーを作動させて給気の流れを寸断させるとともに、前記排気用ファンによる排気風量を減少させることを特徴とするものである。
【０００８】
また、給気温度を検知する給気温度検知手段の検知温度を任意に設定または変更することができる検知温度設定手段を有したものである。
【０００９】
また、遮断ダンパーの閉鎖時間を任意に設定することができるタイマーを有したものである。
【００１０】
また、排気ダクトから排気口に至る排気経路の一部と給気経路の一部を連通可能とする開閉弁を本体内に有したものである。
【００１１】
また、給気ダクトから吸入された給気に、熱交換器を通過する直前に予熱を加える加熱手段を有したものである。
【００１２】
また、本体給気経路内に設置される給気温度検知手段を着脱可能とし、任意の給気経路内に取り付け可能としたものである。
【００１３】
また、排気用ファンならびに給気用ファンを駆動させる電動機を直流モータとしたものである。
【００１４】
また、排気用ファンの回転数を検知する回転数検知手段と、この回転数の信号により排気用ファンの回転数を制御する回転数制御手段を有したものである。
【００１５】
また、排気経路内の静圧を検知する静圧検知手段と、この静圧検知手段の信号により排気用ファンの回転数を制御する回転数制御手段を有したものである。
【００１６】
また、排気風量を検知する風量検知手段と、この風量検知手段の信号により排気用ファンの回転数を制御する回転数制御手段を有したものである。
【００１７】
本発明によれば、熱交換器の氷結による目詰まりを防止し、居住者に冷風感を与えることのない熱交換形換気装置を提供が得られる。
【発明の効果】
【００１８】
本発明によれば、極めて低温の室外の空気を取り込んだ時においても、熱交換器が氷結することなく使用可能で、温度の低い給気を室内に与えることのない熱交換形換気装置を提供することができる。
【発明を実施するための最良の形態】
【００１９】
本発明の請求項１記載の発明は、室外とダクトを介して連通して排気流および給気流の経路を形成するために側面に接続される排気用接続部および給気用接続部を備え、下面開放口に室内の汚染された空気を吸込む排気口と室外の新鮮な外気を室内に取り込むための給気口を有した箱状の本体と、前記本体の内部に排気用ファンおよび給気用ファンの双方を駆動させる電動機と、前記排気口から吸込まれる室内空気と室外から取り入れられた新鮮な外気との間で排熱を回収するように設けられた熱交換器と、前記給気用接続部から前記給気口に至る給気経路において給気の流れを遮る遮断ダンパーと、取り込まれた前記外気の温度を検知する給気温度検知手段とを備え、前記給気温度検知手段からの信号に基づいて前記遮断ダンパーを作動させて給気の流れを寸断させるとともに、前記排気用ファンによる排気風量を減少させる熱交換形換気装置であり、給気温度検知手段により給気の温度を検知して、遮断ダンパーを作動させ給気の流れを遮ることにより、熱交換器に冷風が届かないようにすることができ、熱交換器の経路側の氷結を防ぐことができる。また、低温の給気の流れを止めるので、居住者に冷風感を与えることがないという作用を有する。
また、請求項２記載の発明は、請求項１に記載の熱交換形換気装置に、給気温度を検知する給気温度検知手段の検知温度を任意に設定または変更することができる検知温度設定手段を有しているものであり、進入してくる低温の給気の温度に反応して給気の流れを寸断する遮断ダンパーの作動温度を当該装置の設置場所や使用状況を考慮して居住者の要望にて簡易に変更することができるという作用を有する。
【００２０】
また、請求項３記載の発明は、請求項１または２に記載の熱交換形換気装置に、遮断ダンパー閉鎖の間隔を任意に設定することができるタイマーを有しているものであり、遮断ダンパーにより遮られた給気が熱交換器を通過する間隔を変更させて、熱交換器の氷結を防止し、また遮断ダンパーの開閉時間の間隔を保持することにより、急激で短時間による遮断ダンパーの開閉運動（いわゆるチャタリング）を防ぎ、騒音防止と耐久性の向上を図ることができるという作用を有する。
【００２１】
また、請求項４記載の発明は、請求項１、２または３に記載の熱交換形換気装置に、排気ダクトから排気口に至る排気経路の一部と給気経路の一部を連通可能とする開閉弁を本体内に有しているものであり、排気ファンにより室外に排気されるべき室内空気を給気経路側に開閉弁を介して連通させ、給気経路を通過させることで、熱交換器の給気側に排熱供給を施して熱交換器の温度を室温に近づけ、熱交換器の氷結を未然に防ぐという作用を有する。
【００２２】
また、請求項５記載の発明は、請求項１〜４のいずれかに記載の熱交換形換気装置に、給気ダクトから吸入された給気に、熱交換器を通過する直前に予熱を加える加熱手段を有しているものであり、熱交換器を通過する給気を氷結に至らない温度まで過熱して、熱交換器の氷結を未然に防ぐことができるという作用を有する。
【００２３】
また、請求項６記載の発明は、請求項１〜５のいずれかに記載の熱交換形換気装置に、本体給気経路内に設置される給気温度検知手段を着脱可能とし、任意の給気経路内に取り付けることができるものであり、給気温度検知手段の近傍に室内冷暖房器があり、温度検知に影響を受けやすい場合や、排気ダクトのより室外側に設置して給気温度を厳密に測定するなどの要望により、設置条件に頼ることのない温度検知環境を作り出して、給気温度検知手段に至るまでの温度検知の精度を格段に向上させるという作用を有する。
【００２４】
また、請求項７記載の発明は、請求項１〜６のいずれかに記載の熱交換形換気装置に直流モータを搭載し、排気用ファンならびに給気用ファンを駆動させるものであり、遮断ダンパーにより給気の流れを遮断されて排気風量が急激に増大した場合でも、直流モータに入力される電流量を検知することで、回転数を一定に保持することができ、容易に回転数を減少させ、必要以上の排気風量の増大を抑制することができるという作用を有する。
【００２５】
また、請求項８記載の発明は、請求項１〜７のいずれかに記載の熱交換形換気装置に、排気用ファンの回転数を検知する回転数検知手段と、この回転数の信号により排気ファンの回転数を制御する回転数制御手段を有しているものであり、遮断ダンパーにより給気の流れを遮られた環境にて、排気と給気のバランスを考慮して、排気ファンの回転数を減少させ排気風量を低下させることにより、不快な室内の隙間風の増大を防ぐことができるという作用を有する。
【００２６】
また、請求項９記載の発明は、請求項１〜７のいずれかに記載の熱交換形換気装置に、排気経路内の静圧を検知する静圧検知手段と、この静圧検知手段の信号により排気用ファンの回転数を制御する回転数制御手段を有しているものであり、遮断ダンパーにより給気の流れを遮られた環境にて、本体内の排気と給気の差圧を読み取り、排気経路の静圧と給気経路の静圧が必要以上に高揚しないように制御し、排気用ファンの回転数を減少させ排気風量を低下させることにより、不快な室内の隙間風の増大を防ぐことができるという作用を有する。
【００２７】
また、請求項１０記載の発明は、請求項１〜７のいずれかに記載の熱交換形換気装置に、排気風量を検知する風量検知手段と、この風量検知手段の信号により排気用ファンの回転数を制御する回転数制御手段を有しているものであり、排気経路の風量を検知して、遮断ダンパーにより給気の流れを遮られた環境にて、排気風量が増大し不快な室内の隙間風の増大しないように排気用ファンの回転数を減少させ排気風量を低下させることができるという作用を有する。
【００２８】
以下、本発明の実施の形態について図面を参照しながら説明する。
【００２９】
（実施の形態１）
図１〜図４に示すように、本発明の熱交換形換気装置は、室外１と排気ダクト２および給気ダクト３を介して連通して排気流および給気流の経路を形成するために側面に接続される排気用接続部４および給気用接続部５を備え、下面開放口７に室内８の汚染された空気９を吸込む排気口１０と室外１の新鮮な外気を室内８に取り込むための給気口１１を有した箱状の本体６と、本体６の内部に排気用ファン１２および給気用ファン１３の双方を駆動させる電動機１４と、排気口１０から吸込まれる室内空気と室外１から取り入れられた新鮮な外気との間で排熱を回収するように設けられた熱交換器１９と、給気用接続部５から給気口１１に至る給気経路１８において給気１７の流れを遮る遮断ダンパー２０と、取り込まれた外気の温度を検知する給気温度検知手段２１とを備え、給気温度検知手段２１からの信号に基づいて遮断ダンパー２０を作動させて給気１７の流れを寸断させるとともに、排気用ファン１２による排気風量を減少させる構成とする。
【００３０】
詳細な構成を以下に示す。室外１と連通させる排気ダクト２と給気ダクト３に接続される排気用接続部４と給気用接続部５とを側面に有した箱状の本体６と、その本体６の下面開放口７に室内８と連通し、室内８の汚染された空気９を排出する排気口１０と、室外１の新鮮な外気を取り入れて室内８に吐出する給気口１１とを備えており、その本体６の内部には排気用ファン１２と給気用ファン１３を連結して回転駆動させ風量を多量または少量の設定に変換することができる電動機１４を内包している。排気口１０より吸込まれた汚染された空気９は、排気用ファン１２に吸引され、排気用接続部４および排気ダクト２を通過して室外１に排出される排気１５の流れが形成される排気経路１６と、給気ダクト３から給気用接続部５を経て給気用ファン１３により送風されて給気口１１より吐出される給気１７の給気経路１８において、排気１５に含まれる熱エネルギーをそのまま廃棄せず、給気１７側に熱供給して回収させる熱交換器１９を備えている。給気経路１８の給気用接続部５の内部近傍には、給気１７が熱交換器１９に流入する前に加熱させることができる加熱手段２５を備え、その給気１７の流れの下流にその給気１７の流れを遮り、好ましくは板状の弁を開閉する遮断ダンパー２０を熱交換器１９の送風の上流側に配設し、同様に給気経路１８内に給気１７の温度を測定、検知し、好ましくはバイメタルやサーミスタなどの給気温度検知手段２１を配設する。既定の温度値に対し、流入する給気温度が下回った場合に、その給気温度検知手段２１から信号を発し遮断ダンパー２０を開閉させるという構成を有し、遮断ダンパー２０が給気温度検知手段２１から発せられる信号を受信して閉鎖する時間を、居住者もしくは設備工事者が、任意に設定することができるタイマー２２を有している。
【００３１】
また、本体６の排気経路１６と給気経路１８を区分けしている壁部２３には開孔があり、排気経路１６と給気経路１８を連通可能とさせており、その開孔を被覆する開閉弁２４を備えている。
【００３２】
また、排気用ファン１２の近傍には、可変定常周期のパルス波を発する発信部とそのパルス波を受ける受信部３１とを併せ持った回転数検知手段２６を備え、この回転数検知手段２６からの信号と既定の設定値とを比較して排気用ファン１２の回転数の増減を変更するため、電動機１４の入力周波数を変更して制御する回転数制御手段２７を備えている。
【００３３】
上記構成により、給気経路１８を経て室内８に送風される氷点下１０℃以下の極めて低温の給気によって、排気１５内の水蒸気は、その給気１７との熱交換により、急激に冷却され、熱交換器１９を通過後に氷結して熱交換器１９の排気出口部分にて固着する。引き続き冷却することにより、氷結は肥大化し、熱交換器の通風路に目詰まりを起こし、この状態が継続されれば最終的には排気経路が完全に氷結で閉鎖され排気１５が停留することとなるが、給気温度検知手段２１が事前に給気温度を検知して、例えば既定の温度設定値が氷点下３℃とし、流入する給気温度が氷点下３℃を下回った場合、バイメタルなどは接点部が接触し接点に電流が流れ、それを信号として遮断ダンパー２０に電流が流れ遮断ダンパー２０が駆動して全閉し給気１７の流れを完全に停止させるので、熱交換器１９の氷結を未然に防止することができる。また、遮断ダンパー２０が駆動して給気１７が寸断されたときに、給気１７遮断時の給気経路１８内にある給気用ファン１３は無負荷状態に近づくため回転数が上昇していき、その給気用ファン１３を駆動している電動機１４のシャフト２８を介して他方の排気用ファン１２の回転数も同様に上昇していくが、遮断ダンパー２０が閉鎖された信号が電動機１４に送られて電動機１４による回転軸の回転数を強制的に減少させる。そのため回転数上昇を抑制し排気風量の急激な増加を抑え、過度の吸い込みにより居室空間の隙間から侵入してくる隙間風の増大を防いだり、居室が多大な負圧下になるためにドアが開けずらいなどの障害を防止することができる。
【００３４】
その後、給気温度検知手段２１にて検知する温度が設定値を越えた際に遮断ダンパー２０は開放状態に復帰し通常の運転となる。
【００３５】
また、室外１から氷点下１０℃で進入してきた給気１７は、給気温度検知手段２１により、設定温度より低いと検知されたときに、閉鎖の信号を発し遮断ダンパー２０を閉鎖させるが、一旦、遮断ダンパー２０により閉鎖された給気経路１８は、低温の給気１７と室内空気の影響を受ける部分に区別され、徐々に給気温度検知手段２１の雰囲気温度を上昇させていき、結果的には設定温度以上に温度が上昇する。この温度検知により閉鎖解除の信号を遮断ダンパー２０に発信するが、給気温度検知手段２１が電動機１４などの近傍にあり、急激に暖められた場合には、遮断ダンパー２０が閉鎖されて数分・数秒後に、再び遮断ダンパー２０が開放してしまい、連続的なバタツキ感のある不快音を発生させるが、このタイマー２２にて閉鎖の時間を自由に設定できるため、遮断ダンパー２０の閉鎖信号と開放信号の発せられる間隔が非常に短い場合でも、閉鎖時間の間隔を任意に設定して安定し不快音のない遮断ダンパー２０の開閉を実現することができ、連続的な開閉を極力防止するために、疲労による故障や変形など遮断ダンパー２０の運転寿命を大幅に延長することができる。
【００３６】
また、遮断ダンパー２０が閉鎖された際、開閉弁２４を開放し、壁部２３にある開孔を介して排気経路１６と給気経路１８を連通させることで、排気１５の一部を給気として、再び熱交換器１９を通過させるので、今まで給気１７により低温まで冷却された熱交換器１９の素子に予熱して、多少氷結した水蒸気を早期に解凍させるとともに、給気経路１８に排気１５を再流入させるので、排気経路１６と給気経路１８の圧力差を低減させることができる。また、圧力差が小さくなるので給気１７が閉ざされたことにより上昇した排気用ファン１２の回転数を低く抑制することができ、騒音を減少させることができる。
【００３７】
また、加熱手段２５により給気１７に熱供与させて氷点下１０℃などの設定温度以上まで予熱を施して、給気１７の温度を上昇させ、熱交換器１９の氷結を未然に防ぐことができるとともに、給気１７に予熱を施すために、給気温度検知手段２１にて設定した温度より吸入する屋外の空気の温度を上昇させるので、遮断ダンパー２０を作動させることなく連続運転ができるので、住居者が新鮮な室外１の空気の流入量を減少させないで十分に得ることができる。また、熱交換器１９により排気１５の熱を給気１７に供与されたとしても、その給気１７の温度が冷たいと感じたときは加熱手段２５にて、居住者が求める好ましい温度まで給気１７の温度上昇させることができるので、快適な室内８の空気環境を創造することができる。
【００３８】
また、電動機１４は直流モータ（図示せず）により構成され、双方から突出したシャフトに排気用ファン１２と給気用ファン１３が接続固定されているので、一般的に広く汎用されている回転数制御機能を直流モータに容易に接続ならびに運転することができ、回転数の制御を例えば入力される電流値の検出などで非常に精度の高い制御とすることができ、排気風量の抑制が簡易に行われるとともに、直流モータは消費電力が非常に小さいので省エネルギー効果も得ることもできる。
【００３９】
また、給気経路１８を通過する給気１７が遮断ダンパー２０により閉鎖遮断されたときには、電動機１４の駆動を風量少量域に変更し、排気用ファン１２の回転数を抑制して室内静圧の過剰な負圧化を防ぐが、接続される排気ダクト２および給気ダクト３が非常に短く機内抵抗が低くて排気１５が容易に排出しやすい場合や部屋が狭い場所などでは、設定以上に排出されてしまう。
【００４０】
しかし、回転数検知手段２６の発信部から発した可変定常周期（例えば５０μｓの周期では２００サイクル）を受信部３１により読み取り、実際の排気用ファンの回転数を算出し回転数制御手段２７に信号を送って、その信号と既定値の大小により排気用ファン１２を駆動させる電動機１４への入力周波数を変更させることができるので、配管の状態や室内空間の広さにより回転数が上昇し排気風量が上昇することを抑え、過度の吸い込みにより居室空間の隙間から侵入してくる隙間風の増大を防いだり、居室が多大な負圧下になるためにドアが開けずらいなどの障害を防止することができる。
【００４１】
また、排気経路１６と給気経路１８の圧力差を読み取る静圧検知手段２９を排気経路１６内に有し、静圧検知手段２９の設定の圧力差を越える場合には、その静圧検知手段２９の信号により排気用ファン１２の回転数を制御する回転数制御手段２７Ａを有している。例えば、遮断ダンパー２０の閉鎖時には、給気経路１８の給気口１１側は０ｍｍ水頭で、排気経路１６の排気口１０側は正圧７ｍｍ水頭とるから圧力差７ｍｍ水頭となりこれを設定値としている。本発明の熱交換形換気設置をダクト長の長い条件や部屋の広さに設置した際、排気経路１６と給気経路１８の圧力差は設置条件に従って数値が例えば８〜９ｍｍ水頭に変移するが、静圧検知手段２９にて圧力差を検知し設定値の圧力差に合致させるように回転数を変更させる回転数制御手段２７Ａに信号を送って回転数を変更させることができるので、過度の排気を抑えて室内過負圧状態を防ぎ回転数上昇による騒音を抑制させたり、逆に必要風量が減少した場合に回転数を上昇させ風量を増加させることができる。
【００４２】
（実施の形態２）
図５に示すように、給気１７の温度を検知する給気温度検知手段２１Ａの検知する設定温度を居住者もしくは設備工事者にて任意に設定する構成とする。
【００４３】
室内８温度に対して、供給される給気１７の温度の冷風感を感じやすいサニタリーや風呂場などの環境や冬季など室内外の温度差が非常に大きい際においては、検知温度の設定を、例えば、氷点下１０℃から０℃に変更することにより、給気温度検知手段２１Ａから遮断ダンパー２０への信号送信がより早期に発することとなり、遮断ダンパー２０が通常よりも早く閉鎖され、冷風感を抑えたい環境下や期間に合わせて給気１７を遮断し、居住者に対する不快感を大きく低減することができる。なお、本実施の形態で説明した構成要素のうち、実施の形態１で説明した構成要素と同符号のものは同一構成要素であり、その説明は省略する。
【００４４】
（実施の形態３）
図６に示すように、給気温度検知手段２１Ｂは着脱可能とし、クランプにて給気経路１８内の任意の箇所に設置、固定することができる。
【００４５】
上記構成において、本体６が設置される場所の近傍に室内の空気調和として冷暖房器が備えられており、給気温度検知手段２１Ｂ周りの雰囲気に影響を与えやすい場合や配管施工の不完全さにて空気の漏れが生じている場合などは、給気１７の温度が不安定で設定された温度を検知できないことが数多く見受けられるが、安定した室外１の温度を検知できる場所に、ネジなどで取り付けているクランプを再固定し、このクランプに給気温度検知手段２１Ｂを挟着し設置することができるので、正確で設置箇所に左右されることがない遮断ダンパー２０の作動を確保することができる。なお、本実施の形態で説明した構成要素のうち、実施の形態１で説明した構成要素と同符号のものは同一構成要素であり、その説明は省略する。
【００４６】
（実施の形態４）
図７に示すように、排気風量を検知する風量検知手段３０を本体６に備え、この風量検知手段３０の信号により排気用ファン１２の回転数を制御する回転数制御手段２７Ｂを備えている。この風量検知手段３０は、通常は通気抵抗の少ない網状の風速検知装置により構成され、まず風速を検出し、有効検知面積を乗じて風量が算出される。
【００４７】
上記構成において、遮断ダンパー２０が作動し給気１７が停止している間、排気が居住者の要望以上に排出され、隙間風の発生や室内のドアが開けずらいなどの問題がある場合には、例えば、風量検知手段３０を排気口１０の近傍に配設することで、必要以上の排気をしないように回転数制御手段２７Ｂを用いて回転数を変更させ、要望される風量に安定させることができる。なお、本実施の形態で説明した構成要素のうち、実施の形態１で説明した構成要素と同符号のものは同一構成要素であり、その説明は省略する。
【産業上の利用可能性】
【００４８】
本発明の熱交換形換気装置は、熱交換器の氷結を防ぎ、極めて低温の外気を取り入れる際の居住者への冷風感を抑制する機能を有した熱交換形換気装置の用途として有用である。
【図面の簡単な説明】
【００４９】
【図１】本発明の実施の形態１の熱交換形換気装置の設置状態を示す住宅設置図
【図２】同熱交換形換気装置の構成を示す正面図
【図３】同熱交換形換気装置の遮断ダンパー動作時の正面図
【図４】同熱交換形換気装置の開閉弁開放時の正面図
【図５】本発明の実施の形態２の熱交換形換気装置の構成を示す正面図
【図６】本発明の実施の形態３の熱交換形換気装置の構成を示す正面図
【図７】本発明の実施の形態４の熱交換形換気装置の構成を示す正面図
【図８】従来の同熱交換形換気装置を示す正面図
【符号の説明】
【００５０】
１    室外
２    排気ダクト
３    給気ダクト
４    排気用接続部
５    給気用接続部
６    本体
７    下面開放口
８    室内
９    汚染された空気
１０  排気口
１１  給気口
１２  排気用ファン
１３  給気用ファン
１４  電動機
１５  排気
１６  排気経路
１７  給気
１８  給気経路
１９  熱交換器
２０  遮断ダンパー
２１、２１Ａ、２１Ｂ  給気温度検知手段
２２  タイマー
２４  開閉弁
２５  加熱手段
２６  回転数検知手段
２７、２７Ａ、２７Ｂ  回転数制御手段
２９  静圧検知手段
３０  風量検知手段
【図１】
2005233494.tif 000003
【図２】
2005233494.tif 000004
【図３】
2005233494.tif 000005
【図４】
2005233494.tif 000006
【図５】
2005233494.tif 000007
【図６】
2005233494.tif 000008
【図７】
2005233494.tif 000009
【図８】
2005233494.tif 000010